(57)【特許請求の範囲】
【請求項１】
枠体のコーナの互いに直交する外側面を受けるように折曲げ線を介して連結されている一対の受板と、
前記一対の受板の内の一方の受板の両側部に折曲げ可能に連設された折曲げ板の分割線により分割される第１の領域を折曲げて形成されかつ前記一方の受板の内側であって両側に配される一対の第１の保持用筒体と、
前記一対の受板の内の一方の受板の両側部に折曲げ可能に連設された折曲げ板の分割線により分割される第２の領域を折曲げて形成されかつ他方の受板の内側であって両側に配される一対の第２の保持用筒体と、
前記他方の受板の両側に折曲げ可能に連設され、前記第１の保持用筒体と前記第２の保持用筒体の両側部を押える側板と、
を具備し、前記枠体の外側面上に突出する突条を前記第１の保持用筒体および／または前記第２の保持用筒体で挟着保持するコーナクッション。
【請求項２】
前記両側の側板に設けられ、前記枠体の横面のリブと係合して保持する切込みを有する折曲げ保持板を具備し、前記枠体の横面上のリブを前記保持板の切込みで保持する請求項１に記載のコーナクッション。
【請求項３】
前記折曲げ板上の分割線が斜めである請求項１に記載のコーナクッション。
【請求項４】
前記側板の側部に折返し片が連設され、該折返し片が前記一方の受板の両側部の係合孔に挿入されて係合される請求項１に記載のコーナクッション。
【請求項５】
前記第１の保持用筒体の底部に底板が連設され、該底板に係合孔が形成され、該係合孔に前記一方の受板のロック片が係合されて前記第１の保持用筒体が前記一方の受板上に固定される請求項３に記載のコーナクッション。
【請求項６】
前記第２の保持用筒体の底部に底板が連設され、該底板に係合孔が形成され、該係合孔に前記他方の受板のロック片が係合されて前記第２の保持用筒体が前記他方の受板上に固定される請求項３に記載のコーナクッション。
【請求項７】
前記折曲げ板の斜めの分割線の先端であって前記第１の領域に形成される前記第１の保持用筒体の底板のコーナと対応する部分が直角に屈曲する請求項５に記載のコーナクッション。
【請求項８】
前記折曲げ板の斜めの分割線の先端であって前記第２の領域に形成される前記第２の保持用筒体の底板のコーナと対応する部分が直角に屈曲する請求項６に記載のコーナクッション。
【発明の詳細な説明】
【技術分野】
【０００１】
本発明はコーナクッションに係り、とくに枠体のコーナの互いに直交する外側面を受けるコーナクッションであって、サッシ等の建具のコーナの部分に装着して用いるのに好適なコーナクッションに関する。
【背景技術】
【０００２】
サッシから成る建具を運搬したり保管したりする際に、とくにその直角に構成部材が交差するコーナの部分が、他の物品と接触したりして損傷し易くなる。そこで例えば特開２００３−２６１１６５号公報に開示されているように、物品ないし建具のコーナ部を簡単な構造で保護できるようにしたコーナ保護材が提案されている。このコーナ保護材は、物品のコーナ部の隣合う２辺に当てがわれる端辺部と、前記物品のコーナ部の前後面に当てがわれる側片部とを有し、これら端辺部および側片部で区画された凹部に前記物品のコーナ部を収納するようにし、少なくとも一方の端辺部の内面に断面山形に折曲げた複数の補強支持部をその稜部が長手方向に沿うように設けてある。
【０００３】
このようなコーナ保護材は、とくに建物の躯体に取付けるために枠の框の外枠に突出するフィンから成る突条を有するサッシの部分を受けるように、短辺部の内面に断面山形に折曲げた複数の補強支持片部をその稜部が長手方向に沿うように設けてあるものの、サッシの枠体を受ける部分が三角形の頂点で受けるために、受面の面積が小さくなり、これによって断面山形に折曲げた補強支持片部が潰れ易い欠点がある。また支持片部が潰れた場合には、枠体のフィンが他の物品に接触し、これによってフィンが変形したりする可能性がある。
【先行技術文献】
【特許文献】
【０００４】
【特許文献１】特開２００３−２６１１６５号公報
【発明の概要】
【発明が解決しようとする課題】
【０００５】
本願発明の課題は、枠体の互いに直交するコーナの部分を確実に受けることができるようにしたコーナクッションを提供することである。
【０００６】
本願発明の別の課題は、特別な固定手段を用いることなく、しかも枠体のコーナの部分に確実に装着できるようにしたコーナクッションを提供することである。
【０００７】
本願発明のさらに別の課題は、枠体の外側面上に突出する突条を確実に保護できるようにしたコーナクッションを提供することである。
【０００８】
本願発明のさらに別の課題は、枠体の横面上に突出するリブを確実に保護できるようにしたコーナクッションを提供することである。
【０００９】
本願発明の上記の課題および別の課題は、以下に述べる本願発明の技術的思想、およびその実施の形態によって明らかにされる。
【課題を解決するための手段】
【００１０】
本願の主要な発明は、枠体のコーナの互いに直交する外側面を受けるように折曲げ線を介して連結されている一対の受板と、
前記一対の受板の内の一方の受板の両側部に折曲げ可能に連設された折曲げ板の分割線により分割される第１の領域を折曲げて形成されかつ前記一方の受板の内側であって両側に配される一対の第１の保持用筒体と、
前記一対の受板の内の一方の受板の両側部に折曲げ可能に連設された折曲げ板の分割線により分割される第２の領域を折曲げて形成されかつ他方の受板の内側であって両側に配される一対の第２の保持用筒体と、
前記他方の受板の両側に折曲げ可能に連設され、前記第１の保持用筒体と前記第２の保持用筒体の両側部を押える側板と、
を具備し、前記枠体の外側面上に突出する突条を前記第１の保持用筒体および／または前記第２の保持用筒体で挟着保持するコーナクッションに関するものである。
【００１１】
ここで、前記両側の側板に設けられ、前記枠体の横面のリブと係合して保持する切込みを有する折曲げ保持板を具備し、前記枠体の横面上のリブを前記保持板の切込みで保持してよい。また前記折曲げ板上の分割線が斜めであってよい。また前記側板の側部に折返し片が連設され、該折返し片が前記一方の受板の両側部の係合孔に挿入されて係合されてよい。また前記第１の保持用筒体の底部に底板が連設され、該底板に係合孔が形成され、該係合孔に前記一方の受板のロック片が係合されて前記第１の保持用筒体が前記一方の受板上に固定されてよい。また前記第２の保持用筒体の底部に底板が連設され、該底板に係合孔が形成され、該係合孔に前記他方の受板のロック片が係合されて前記第２の保持用筒体が前記他方の受板上に固定されてよい。
【００１２】
また、前記折曲げ板の斜めの分割線の先端であって前記第１の領域に形成される前記第１の保持用筒体の底板のコーナと対応する部分が直角に屈曲するようにしてよい。また前記折曲げ板の斜めの分割線の先端であって前記第２の領域に形成される前記第２の保持用筒体の底板のコーナと対応する部分が直角に屈曲するようにしてよい。
【発明の効果】
【００１３】
本願の主要な発明は、枠体のコーナの互いに直交する外側面を受けるように折曲げ線を介して連結されている一対の受板と、
前記一対の受板の内の一方の受板の両側部に折曲げ可能に連設された折曲げ板の分割線により分割される第１の領域を折曲げて形成されかつ前記一方の受板の内側であって両側に配される一対の第１の保持用筒体と、
前記一対の受板の内の一方の受板の両側部に折曲げ可能に連設された折曲げ板の分割線により分割される第２の領域を折曲げて形成されかつ他方の受板の内側であって両側に配される一対の第２の保持用筒体と、
前記他方の受板の両側に折曲げ可能に連設され、前記第１の保持用筒体と前記第２の保持用筒体の両側部を押える側板と、
を具備し、前記枠体の外側面上に突出する突条を前記第１の保持用筒体および／または前記第２の保持用筒体で挟着保持するようにしたものである。
【００１４】
従ってこのような構成によると、枠体の外側面上に突出する突条が、第１の保持用筒体および／または第２の保持用筒体によって挟着保持されるようになる。ここで第１の保持用筒体および第２の保持用筒体を何れも四角筒状に構成すると、枠体の外側面と接する平坦面で枠体を受けることが可能になり、これによって枠体が安定に保持されることになる。
【図面の簡単な説明】
【００１５】
【図１】第１の実施の形態のコーナクッションを組立てるための段ボールの展開平面図である。
【図２】同コーナクッションの組立ての動作を示す外観斜視図である。
【図３】同コーナクッションの組立ての動作を示す外観斜視図である。
【図４】組立てたコーナクッションの外観斜視図である。
【図５】組立てたコーナクッションを９０°回転した状態の外観斜視図である。
【図６】サッシから成る枠体に対するコーナクッションの装着を示す分解斜視図である。
【図７】枠体に対するコーナクッションの装着を示す要部横断面図である。
【図８】同コーナクッションの水平部分に対する装着の状態を示すコーナクッションの要部縦断面図である。
【図９】第２の実施の形態のコーナクッションを組立てるための段ボールの展開平面図である。
【図１０】同コーナクッションの第１の筒体の部分の要部斜視図である。
【図１１】同コーナクッションの第２の筒体の部分の要部斜視図である。
【発明を実施するための形態】
【００１６】
以下本願発明を図示の実施の形態によって説明する。図１は第１の実施の形態のコーナクッションを組立てるための段ボールの展開平面図を示しており、この段ボールは、その中央部に上下に第１の受板１１と第２の受板１２とを備えている。これらの受板１１、１２はその境界領域に介在する折曲げ線４５によって互いに折曲げ可能に連設されており、組立てた状態において第１の受板１１と第２の受板１２とは互いに直交するようになる（図４および図５参照）。
【００１７】
第１の受板１１の両側部にはそれぞれ折曲げ線１３を介して折曲げ板１４が折曲げ可能に連設されている。そして両側の折曲げ板１４にはその斜めの分割線１６が設けられ、分割線１６によって第１の領域１７と第２の領域１８とに分かれるようになっている。第１の領域１７は第１の保持用筒体７１を形成するためのものであり、第２の領域１８は、第２の保持用筒体７２を形成するためのものである（図３参照）。
【００１８】
斜めの分割線１６によって分割された折曲げ板１４の第１の領域１７には、折曲げ線２１、２２、２３がそれぞれ形成されている。そして上記折曲げ線２３の先端側が底板２４になっており、第１の保持用筒体７１の底板を構成している。また第１の領域１７の根元側の部分には横方向に延びるロック用スリット２５が形成されている。一方底板２４には、コ字状切込みから成る係合孔２６が形成されている。係合孔２６には、第１の受板１１に形成されたロック片２７が挿入されるようになっている（図５参照）。
【００１９】
第１の受板１１の斜めの分割線１６によって区画される第２の領域１８には、折曲げ線３１、３２、３３が形成されている。先端側であって折曲げ線３３の上側の領域が底板３４になっている。そして底板３４には、さらに折曲げ線３５を介して直立板３６が連設されている。直立板３６は突片３７を先端部に有し、この突片３７がスリット３８に受入れられるようになっている。また底板３４には係合孔３９が形成され、この係合孔３９が第２の受板１２のロック片４０を受入れるようになっている。
【００２０】
次に第２の受板１２の両側に形成されている側板４４の構成について説明する。第２の受板１２の両側にはそれぞれ折曲げ線４６を介して側板４４が連設されている。側板４４の根元側であって折曲げ線４６に沿う領域には切込み４７が形成されている。また側板４４の側部には、上記折曲げ板１４に突出するように折返し片４８が連設されており、折曲げ線４９によって折曲げ可能に側板４４に連結されている。そして折返し片４８が第１の受板１１の両側の係合孔５０に係合されるようになっている。
【００２１】
上記側板４４の先端側の部分には折曲げ線５４を介して挿入板５５が連設されている。この挿入板５５の側部は、Ｖ字状折曲げ部を有する第１の折曲げ保持板５６を介して折曲げ可能になっており、切込み５７を備えている。そして第１の折曲げ保持板５６の先端側には係止片５８が連設され、この係止片５８が側板４４の係止孔５９に係止されるようになっている。
【００２２】
また上記側板４４には、折曲げ線６４を介して第２の折曲げ保持板６５が連設されている。第２の折曲げ保持板６５はその中間部を横切るように折曲げ線６６を備えるとともに、折曲げ線６６と交差するように切込み６７、６８が形成されている。また第２の折曲げ保持板６５の先端部には係止片６９が連設され、この係止片６を受入れる係止孔７０が側板４４に連設されている。
【００２３】
次に以上のような構成に係る段ボールによって、コーナクッションを組立てる動作を図２〜図５によって説明する。まず図２に示すように、第１の受板１１の両側部に連設された折曲げ板１４によって第１の保持用筒体７１と第２の保持用筒体７２とを組立てる動作を説明する。折曲げ板１４の斜めの分割線１６の一方の側の第１の領域１７に存在する折曲げ線２１、２２、２３を折曲げることによって、第１の保持用筒体７１を組立てる。この動作は、折曲げ線２３、２２、２１をその順に折曲げて組立てることによって達成される。これによって第１の保持用筒体７１の底板２４が第１の受板１１上に接して四角筒状に組立てられる。ここで第１の受板１１上には、左右一対の保持用筒体７１が並置して形成されることになる。そしてこの後に、第１の保持用筒体７１の底板２４に設けられている係合孔２６に、第１の受板１１上のロック片２７を挿入する（図５参照）。これによって第１の受板１１に対して左右一対の第１の保持用筒体７１が固定される。
【００２４】
この後に、折曲げ板１４の斜めの分割線１６の反対側の第２の領域１８に形成されている折曲げ線３１、３２、３３を順次折曲げることによって、第２の保持用筒体７２を組立てる。ここで第２の保持用筒体７２は、図２に示すように、第１の保持用筒体７１および第１の受板１１に対して直角に直立した状態で形成される。そしてこのときに、第２の保持用筒体７２の底板３４に折曲げ線３５を介して連設されている直立板３６を直角に折曲げるとともに、この直立板３６の突片３７をスリット３８に挿入する。
【００２５】
このように第１の受板１１上に一対の第１の保持用筒体７１と一対の第２の保持用筒体７２とを組立てたならば、このような状態において、図３に示すように、折曲げ線４５に沿って第１の受板１１を第２の受板１２に対して直角に折曲げる。これによって第２の保持用筒体７２が第２の受板１２上に位置することになる。このような状態において、第２の受板１２上に設けられているロック片４０を第２の保持用筒体７２の底板３４に設けられている係合孔３９に挿入し、これによって第２の受板１２上に一対の第２の保持用筒体７２を固定する。
【００２６】
この後に第２の受板１２に対して両側の側板４４を折曲げ線４６のところで直角に折曲げるようにし、両側の側板４４を直立させる。そして側板４４の背面側に形成されている折返し片４８を第１の受板１１の両側に形成されている係合孔５０に挿入し、これによって側板４４が直角に折曲げられて直立した状態で第１の受板１１に固定する。
【００２７】
さらに両側の側板４４の上端に形成されている挿入板５５を第１の保持用筒体７１の側部に設けられているロック用スリット２５内に挿入する。なおこのときに、挿入板５５の側部に位置する第１の折曲げ保持板５６を中間の折曲げ線によってＶ字状に折曲げるようにし、先端側の係止片５８を係止孔５９に挿入する。また側板４４の前端側に設けられている第２の折曲げ保持板６５を第２の保持用筒体７２の側部に設けられているロック孔７５に挿入する。このときに第２の折曲げ保持板６５を折曲げ線６６のところで折曲げるようにし、先端側の係止片６９を係止孔７０に挿入して固定する。なお折曲げ保持板５６、６５の切込み５７、６７、６８は、枠体８０の横面上の横リブ８６を受入れるためのものであるから、横リブ８６がない側面については、折曲げ保持板５６、６５を折曲げなくてよい。これによって図４に示すようなコーナクッションが組立てられることになる。このコーナクッションは、一対の第１の保持用筒体７１と一対の第２の保持用筒体７２とが互いに直交するように第１の受板１１および第２の受板１２上にそれぞれ並置して組立てられることになり、しかも両側から側板４４によって第１の保持用筒体７１と第２の保持用筒体７２とを挟着することになる。
【００２８】
図５は図４に示すように組立てられたコーナクッションを９０°回転させた状態を示しており、図４において背面側に位置する第１の受板１１が図５においては上面に位置するようになっている。そして上面に位置する第１の受板１１によって、折返し片４８が受板１１の係合孔５０によって係合保持されている状態が示される。また第１の保持用筒体の底板２４に形成される係合孔２６に押込まれるように係合されるロック片２７が示されており、このロック片２７によって一対の第１の保持用筒体７１が受板１１の内側に固定されている状態が示される。
【００２９】
図６はこのようにして組立てられたコーナクッションを、サッシから成る建具の枠体８０のコーナの部分に装着する状態を示しており、枠体８０の４つのコーナの部分にそれぞれコーナクッション８２が取付けられることになる。なおこのときに、枠体８０の長辺側の部材と短辺側の部材とが、第１の受板１１と第２の受板１２の何れに平行に配されるかについては、用いられるコーナクッション８２と枠体８０との関係において、任意に設定することができる。
【００３０】
枠体８０の外側面上に突条８５が形成されている場合であって、この突条８５を第１の受板１１上の左右一対の第１の保持用筒体７１によって挟着保持する場合には、図７に示すようになる。すなわち枠体８０の外側部に突出する突条８５が左右一対の保持用筒体７１間で挟着保持される。このときに枠体８０の横面上に横リブ８６が存在する場合には、この横リブ８６を第１の折曲げ保持板５６のＶ字状折曲げ部に形成された切込み５７に受入れることによって、この枠体８０の横リブ８６を保持することが可能になる。
【００３１】
また枠体８０の突条８５を第２の受板１２上の左右一対の保持用筒体７２で受ける場合には、図８に示すように、一対の第２の保持用筒体７２間に枠体８０の突条８５を挿入すればよい。またこの枠体８０がその横面上に横リブ８６を備える場合には、この横リブ８６を第２の折曲げ保持板６５の切込み６７、６８の何れかで受ければよい。
【００３２】
従って本実施の形態に係るコーナクッションによると、サッシから成る枠体８０の外側面に突条８５が形成され、側面上に横リブ８６が形成されている場合には、このような突条８５あるいは横リブ８６をコーナクッション８２で確実に受けながらしかも枠体８０の４つのコーナの部分を、それらのコーナに装着されたコーナクッション８２によって保護することが可能になる。
【００３３】
またこのようなコーナクッションは、枠体８０の外周側の突条８５を左右一対の第１の保持用筒体７１および／または左右一対の第２の保持用筒体７２によって挟着保持するようにしている。また枠体８０の横リブ８６を、第１の折曲げ保持板５６の切込み５７によって受入れるようにし、あるいは第２の折曲げ保持板６５の切込み６７、６８によって受入れるようにしている。従って、このような係合構造によって、枠体８０のコーナの部分に対するコーナクッション８２の結合が確実になされ、コーナクッション８２が枠体８０のコーナの部分から脱落することがなくなる。また枠体８０のコーナの部分にコーナクッション８２を固定するためのテープ等の固定手段を必要としなくなり、これによって結合部品の省略を図るとともに、装着の操作を簡略化することが可能になる。
【００３４】
次に第２の実施の形態を図９〜図１１によって説明する。第２の実施の形態は、図９に示すように、左右の折曲げ板１４に設けられている斜めの分割線１６の先端側の部分を屈曲部９０のところで直角に屈曲させるようにしたものである。なおそれ以外の構成は、上記第１の実施の形態と同様である。
【００３５】
このような構成によると、第１の保持用筒体７１の底板２４の形状が図１０に示すようになり、とくにその側面が直角の部分を有することになる。また第２の保持用筒体７２の底板３４の部分についても、図１１に示すように、その側端の形状が直角の折曲げ部分を有することになる。
【００３６】
図９に示すように、斜めの分割線１６の先端側の部分を屈曲部９０のところで直角に屈曲させると、第１の領域１７の係合孔２６と分割線１６との間の距離が長くなり、このために底板２４の係合孔２６に第１の受板１１のロック片２７を挿入する際に、係合孔２６が破断し難くなる。また分割線１６の屈曲部９０によって、第２の領域１８に形成される係合孔３９と分割線１６との間の距離が長くなり、このために係合孔３９にロック片４０を挿入する際に係合孔３９が破断し難くなる利点をもたらす。
【００３７】
以上本願発明を図示の実施の形態によって説明したが、本願発明は上記実施の形態によって限定されることなく、本願発明の技術的思想の範囲内で各種の変更が可能である。例えば上記実施の形態における一対の第１の保持用筒体７１や一対の第２の保持用筒体７２間の隙間の寸法、あるいはこれらの保持用筒体７１、７２の横方向あるいは長さ方向の寸法等については、装着される枠体の形状や寸法に応じて各種の変更が可能である。
【産業上の利用可能性】
【００３８】
本願発明は、サッシのコーナの部分に装着されるコーナクッションとして広く利用することができる。
【符号の説明】
【００３９】
１１  第１の受板
１２  第２の受板
１３  折曲げ線
１４  折曲げ板
１６  斜めの分割線
１７  第１の領域
１８  第２の領域
２１〜２３  折曲げ線
２４  底板
２５  ロック用スリット
２６  係合孔（コ字状切込み）
２７  ロック片
３１〜３３  折曲げ線
３４  底板
３５  折曲げ線
３６  直立板
３７  突片
３８  スリット
３９  係合孔
４０  ロック片
４４  側板
４５、４６  折曲げ線
４７  切込み
４８  折返し片
４９  折曲げ線
５０  係合孔
５４  折曲げ線
５５  挿入板
５６  第１の折曲げ保持板
５７  切込み
５８  係止片
５９  係止孔
６４  折曲げ線
６５  第２の折曲げ保持板
６６  折曲げ線
６７、６８  切込み
６９  係止片
７０  係止孔
７１  第１の保持用筒体
７２  第２の保持用筒体
７５  ロック孔
８０  枠体
８２  コーナクッション
８５  突条
８６  横リブ
９０  屈曲部
【図１】
0005749118.tif 000002
【図２】
0005749118.tif 000003
【図３】
0005749118.tif 000004
【図４】
0005749118.tif 000005
【図５】
0005749118.tif 000006
【図６】
0005749118.tif 000007
【図７】
0005749118.tif 000008
【図８】
0005749118.tif 000009
【図９】
0005749118.tif 000010
【図１０】
0005749118.tif 000011
【図１１】
0005749118.tif 000012